【手続補正書】
【提出日】平成29年6月2日(2017.6.2)
【手続補正１】
【補正対象書類名】特許請求の範囲
【補正対象項目名】全文
【補正方法】変更
【補正の内容】
【特許請求の範囲】
【請求項１】
始端の項目から終端の項目までの複数の項目からなる項目列のうち、一部の項目群を表示画面に列状に表示するように制御する表示制御手段と、
前記表示画面に表示された項目へのタッチ操作を検出する検出手段と、
前記項目列の前記始端の項目でも前記終端の項目でもない、第１の表示位置にある、表示されている前記一部の項目群の一方側の端の項目へのタッチ及び該タッチを離す一連の操作が検出されたことに応じて、前記項目列のうち、表示されていなかった項目を表示すると共に、前記一連の操作がなされた項目を前記第１の表示位置から第２の表示位置に移動するように、前記一部の項目群を移動し、
前記項目列の前記始端の項目または前記終端の項目であり、前記第１の表示位置にある、表示されている前記一部の項目群の一方側の端の項目への前記一連の操作がなされても、前記一連の操作がなされた項目を前記第１の表示位置から前記第２の表示位置に移動しないように制御する制御手段とを有することを特徴とする表示制御装置。
【請求項２】
始端の項目から終端の項目までの複数の項目からなる項目列のうち、一部の項目群を表示画面に列状に表示するように制御する表示制御手段と、
前記表示画面に表示された項目へのタッチ操作を検出する検出手段と、
前記項目列の前記始端の項目でも前記終端の項目でもない、第１の表示位置にある、表示されている前記一部の項目群の一方側の端の全体が表示されている項目へのタッチ及び該タッチを離す一連の操作が検出されたことに応じて、前記項目列のうち、表示されていなかった項目を表示すると共に、前記一連の操作がなされた項目を前記第１の表示位置から第２の表示位置に移動するように、前記一部の項目群を移動し、
前記項目列の前記始端の項目または前記終端の項目であり、前記第１の表示位置にある、表示されている前記一部の項目群の一方側の端の全体が表示されている項目への前記一連の操作がなされても、前記一連の操作がなされた項目を前記第１の表示位置から前記第２の表示位置に移動しないように制御する制御手段とを有することを特徴とする表示制御装置。
【請求項３】
前記第２の表示位置は、前記項目群を表示する領域のうち中央の位置とは異なる位置であることを特徴とする請求項１または２に記載の表示制御装置。
【請求項４】
前記第２の表示位置は、前記一連の操作がなされる項目へのタッチがなされた際に、前記一連の操作がなされた項目から他方側の隣の項目の表示位置であることを特徴とする請求項１乃至３の何れか１項に記載の表示制御装置。
【請求項５】
前記一連の操作がされる前に選択できなかった項目のうち、少なくとも１つの項目は、前記一部の項目群の移動の後に選択可能になることを特徴とする請求項１乃至４の何れか１項に記載の表示制御装置。
【請求項６】
始端の項目から終端の項目までの複数の項目からなる項目列のうち、一部の項目群を選択可能に表示画面に列状に表示するように制御する表示制御手段と、
前記表示画面に表示された項目へのタッチ操作を検出する検出手段と、
前記項目列の前記始端の項目でも前記終端の項目でもない、表示されている選択可能な前記一部の項目群の一方側の端に位置している、項目の全体が表示されている選択されていない状態の項目へのタッチ及び該タッチを離す一連の操作が検出されたことに応じて、前記一連の操作がされた項目を表示したまま、前記項目列のうち、前記一連の操作がなされた項目から前記一方側にある、前記表示画面に表示されていなかった項目が選択可能になるように、前記一部の項目群を移動し、
前記項目列の前記始端の項目または前記終端の項目であり、表示されている選択可能な前記一部の項目群の前記一方側の端に位置している、項目の全体が表示されている選択されていない状態の項目への前記一連の操作がなされても、前記一部の項目群を移動しないように制御する制御手段とを有することを特徴とする表示制御装置。
【請求項７】
始端の項目から終端の項目までの複数の項目からなる項目列のうち、一部の項目群を選択可能に表示画面に列状に表示するように制御する表示制御手段と、
前記表示画面に表示された項目へのタッチ操作を検出する検出手段と、
前記項目列のうち所定数の項目が前記一部の項目群として前記表示画面に表示されている際に、前記項目列の前記始端の項目でも前記終端の項目でもない、表示されている前記一部の項目群の一方側の端に位置している、項目の全体が表示されている選択可能な項目へのタッチ及び該タッチを離す一連の操作が検出されたことに応じて、前記一連の操作がなされた項目を表示したまま、前記項目列のうち、前記一連の操作がなされた項目から前記一方側にある、前記表示画面に表示されていなかった項目が選択可能になるように、前記一部の項目群を移動し、
前記項目列のうち前記所定数の項目が前記一部の項目群として前記表示画面に表示されている際に、前記項目列の前記始端の項目または前記終端の項目である、表示されている前記一部の項目群の前記一方側の端に位置している、項目の全体が表示されている選択可能な項目への前記一連の操作がなされても、前記一部の項目群を移動しないように制御する制御手段とを有することを特徴とする表示制御装置。
【請求項８】
始端の項目から終端の項目までの複数の項目からなる項目列のうち、表示画面に表示された一部の項目群を選択可能な選択手段と、
前記一部の項目群を前記表示画面に列状に表示するように制御する表示制御手段と、
前記表示画面に表示された項目へのタッチ操作を検出する検出手段と、
前記項目列の前記始端の項目でも前記終端の項目でもない、前記選択手段の選択可能な表示されている前記一部の項目群の一方側の端に位置している、項目の全体が表示されている選択されていない状態の項目へのタッチ及び該タッチを離す一連の操作がされたことに応じて、前記選択手段が選択可能な項目が新たに前記表示画面に表示されるように、前記一部の項目群を移動し、
前記項目列の前記始端の項目または前記終端の項目である、前記選択手段の選択可能な表示されている前記一部の項目群の前記一方側の端に位置している、項目の全体が表示されている選択されていない状態の項目への前記一連の操作がされた後、前記選択手段が選択可能な項目の数と種類とが同じになるように制御する制御手段とを有することを特徴とする表示制御装置。
【請求項９】
前記一連の操作は、タッチを開始してからタッチ位置を移動しないままタッチを離す操作であることを特徴とする請求項１乃至８のいずれか１項に記載の表示制御装置。
【請求項１０】
前記制御手段は、前記検出手段が前記表示画面に表示された前記一部の項目群のいずれかに対するタッチを検出すると、タッチされた項目をタッチされていない項目とは識別可能な状態にするように制御することを特徴とする請求項１乃至９の何れか１項に記載の表示制御装置。
【請求項１１】
前記制御手段は、前記表示画面に表示された前記一部の項目群における端に位置している項目とは異なる項目への前記一連の操作に応じては、前記一部の項目群を移動しないように制御することを特徴とする請求項１乃至１０の何れか１項に記載の表示制御装置。
【請求項１２】
前記制御手段は、前記項目列の前記始端の項目でも前記終端の項目でもない、表示されている前記一部の項目群の端に位置している項目へのタッチが検出されたことに応じては、前記一部の項目群を移動しないように制御することを特徴とする請求項１乃至１１の何れか１項に記載の表示制御装置。
【請求項１３】
前記制御手段は、前記項目列の前記始端の項目でも前記終端の項目でもない、表示されている前記一部の項目群の端に位置している項目からのタッチを離す操作が検出されたことに応じて前記一部の項目群を移動するように制御することを特徴とする請求項１乃至１２の何れか１項に記載の表示制御装置。
【請求項１４】
前記表示制御手段は、前記項目列とは異なる第二の項目列の一部の項目群である第二の項目群を前記表示画面に表示するように制御し、
前記制御手段は、前記第二の項目列の始端または終端の項目ではない、表示されている前記第二の項目群の端の項目への前記一連の操作がされても、前記第二の項目群を移動しないように制御することを特徴とする請求項１乃至１３の何れか１項に記載の表示制御装置。
【請求項１５】
前記表示制御手段は、前記第二の項目列のうち、表示されている前記第二の項目群が前記第二の項目列のうちのどの位置の項目群であるかを示すスクロールバーを前記表示画面に表示するように制御することを特徴とする請求項１４に記載の表示制御装置。
【請求項１６】
前記項目列のうち、前記表示画面に表示される項目を移動させるスクロール操作を受け付けるスクロール操作手段を更に有することを特徴とする請求項１乃至１５の何れか１項に記載の表示制御装置。
【請求項１７】
前記表示制御装置は、撮像手段を有する撮像装置を含むことを特徴とする請求項１乃至１６の何れか１項に記載の表示制御装置。
【請求項１８】
前記表示画面においては、前記一部の項目群とともに前記撮像手段で撮像された画像が表示されることを特徴とする請求項１７に記載の表示制御装置。
【請求項１９】
前記画像は前記撮像手段で撮像されたライブビュー画像であることを特徴とする請求項１８に記載の表示制御装置。
【請求項２０】
前記一部の項目群が移動することに応じて、前記一部の項目群のうち、前記一連の操作がなされた項目の他方側の端の項目が非表示になることを特徴とする請求項１乃至１９の何れか１項に記載の表示制御装置。
【請求項２１】
前記一部の項目群に対するタッチがあり、該タッチの位置が移動された後に、該タッチが離されたことに応じて、該タッチが離れる直前のタッチ位置の項目を他の項目とは識別可能な状態で表示すると共に、該タッチが離れる直前において、該タッチ位置の項目が、前記項目列の前記始端の項目でも前記終端の項目でもなく、表示されている前記一部の項目群の端に位置している場合に、前記一部の項目群を移動するように制御することを特徴とする請求項１乃至２０の何れか１項に記載の表示制御装置。
【請求項２２】
前記制御手段は、前記表示画面に表示された前記一部の項目群のいずれかに対するタッチを検出すると、前記タッチされた項目に割り当てられた機能を実行するように制御することを特徴とする請求項１乃至２１の何れか１項に記載の表示制御装置。
【請求項２３】
前記制御手段は、表示されている前記一部の項目群のいずれかに対するタッチを検出すると、タッチされた項目をタッチされていない項目とは識別可能にし、該タッチした位置が移動されたことに応じて、前記識別可能な状態を解除するように制御することを特徴とする請求項１乃至２２の何れか１項に記載の表示制御装置。
【請求項２４】
前記制御手段は、前記項目列の前記始端の項目でも前記終端の項目でもない、前記一部の項目群の端の項目へタッチを離す操作が検出されたことに応じて、前記一連の操作がされた項目をその他の項目とは識別可能な状態のまま、前記一部の項目群が移動するように制御することを特徴とする請求項１乃至２３の何れか１項に記載の表示制御装置。
【請求項２５】
前記制御手段は、前記一連の操作が検出されたことに応じた前記一部の項目群の移動では、前記一部の項目群を１項目分移動するように制御する請求項１乃至２４の何れか１項に記載の表示制御装置。
【請求項２６】
前記一連の操作に応じた前記一部の項目群の移動により前記表示画面に表示された項目の縁は、前記一部の項目群の移動の後に、前記一部の項目群が表示される領域の縁と合うことを特徴とする請求項１乃至２５の何れか１項に記載の表示制御装置。
【請求項２７】
前記表示画面に表示される前記一部の項目群に含まれる項目の数は、前記一部の項目群の移動前と後で変わらないことを特徴とする請求項１乃至２６の何れか１項に記載の表示制御装置。
【請求項２８】
前記項目列の前記始端の項目と前記終端の項目は、前記一部の項目群を表示する領域のうち中央の領域には表示されないことを特徴とする請求項１乃至２７の何れか１項に記載の表示制御装置。
【請求項２９】
前記制御手段は、前記一部の項目群の移動に応じて、前記一連の操作がされた項目の前記一方側の隣りの項目の項目全体を前記表示画面に表示するように制御することを特徴とする請求項１乃至２８の何れか１項に記載の表示制御装置。
【請求項３０】
前記項目列に含まれる項目は、同じ階層の項目であることを特徴とする請求項１乃至２９の何れか１項に記載の表示制御装置。
【請求項３１】
前記制御手段は、前記一部の項目群のうち、前記表示画面に表示された前記一部の項目群の端に位置している、前記始端の項目でも前記終端の項目でもなく、前記一部の項目群のうち、中央にある項目でもない項目への前記一連の操作がなされても、前記一部の項目群を移動しないように制御することを特徴とする請求項１乃至３０の何れか１項に記載の表示制御装置。
【請求項３２】
始端の項目から終端の項目までの複数の項目からなる項目列のうち、一部の項目群を表示画面に列状に表示するように制御する表示制御ステップと、
前記表示画面に表示された項目へのタッチ操作を検出する検出ステップと、
前記項目列の前記始端の項目でも前記終端の項目でもない、第１の表示位置にある、表示されている前記一部の項目群の一方側の端の項目へのタッチ及び該タッチを離す一連の操作が検出されたことに応じて、前記項目列のうち、表示されていなかった項目を表示すると共に、前記一連の操作がなされた項目を前記第１の表示位置から第２の表示位置に移動するように、前記一部の項目群を移動し、
前記項目列の前記始端の項目または前記終端の項目であり、前記第１の表示位置にある、表示されている前記一部の項目群の一方側の端の項目への前記一連の操作がなされても、前記一連の操作がなされた項目を前記第１の表示位置から前記第２の表示位置に移動しないように制御する制御ステップとを有することを特徴とする表示制御装置の制御方法。
【請求項３３】
始端の項目から終端の項目までの複数の項目からなる項目列のうち、一部の項目群を表示画面に列状に表示するように制御する表示制御ステップと、
前記表示画面に表示された項目へのタッチ操作を検出する検出ステップと、
前記項目列の前記始端の項目でも前記終端の項目でもない、第１の表示位置にある、表示されている前記一部の項目群の一方側の端の全体が表示されている項目へのタッチ及び該タッチを離す一連の操作が検出されたことに応じて、前記項目列のうち、表示されていなかった項目を表示すると共に、前記一連の操作がなされた項目を前記第１の表示位置から第２の表示位置に移動するように、前記一部の項目群を移動し、
前記項目列の前記始端の項目または前記終端の項目であり、前記第１の表示位置にある、表示されている前記一部の項目群の一方側の端の全体が表示されている項目への前記一連の操作がなされても、前記一連の操作がなされた項目を前記第１の表示位置から前記第２の表示位置に移動しないように制御する制御ステップとを有することを特徴とする表示制御装置の制御方法。
【請求項３４】
始端の項目から終端の項目までの複数の項目からなる項目列のうち、一部の項目群を選択可能に表示画面に列状に表示するように制御する表示制御ステップと、
前記表示画面に表示された項目へのタッチ操作を検出する検出ステップと、
前記項目列の前記始端の項目でも前記終端の項目でもない、表示されている選択可能な前記一部の項目群の一方側の端に位置している、項目の全体が表示されている選択されていない状態の項目へのタッチ及び該タッチを離す一連の操作が検出されたことに応じて、前記一連の操作がされた項目を表示したまま、前記項目列のうち、前記一連の操作がされた項目から前記一方側にある、前記表示画面に表示されていなかった項目が選択可能になるように、前記一部の項目群を移動し、
前記項目列の前記始端の項目または前記終端の項目であり、表示されている選択可能な前記一部の項目群の前記一方側の端に位置している、項目の全体が表示されている選択されていない状態の項目への前記一連の操作がなされても、前記一部の項目群を移動しないように制御する制御ステップとを有することを特徴とする表示制御装置の制御方法。
【請求項３５】
始端の項目から終端の項目までの複数の項目からなる項目列のうち、一部の項目群を選択可能に表示画面に列状に表示するように制御する表示制御ステップと、
前記表示画面に表示された項目へのタッチ操作を検出する検出ステップと、
前記項目列のうち所定数の項目が前記一部の項目群として前記表示画面に表示されている際に、前記項目列の前記始端の項目でも前記終端の項目でもない、表示されている前記一部の項目群の一方側の端に位置している、項目の全体が表示されている選択可能な項目へのタッチ及び該タッチを離す一連の操作が検出されたことに応じて、前記一連の操作がなされた項目を表示したまま、前記項目列のうち、前記一連の操作がなされた項目から前記一方側にある、前記表示画面に表示されていなかった項目が選択可能になるように、前記一部の項目群を移動し、
前記項目列のうち前記所定数の項目が前記一部の項目群として前記表示画面に表示されている際に、前記項目列の前記始端の項目または前記終端の項目である、表示されている前記一部の項目群の前記一方側の端に位置している、項目の全体が表示されている選択可能な項目への前記一連の操作がなされても、前記一部の項目群を移動しないように制御する制御ステップとを有することを特徴とする表示制御装置の制御方法。
【請求項３６】
始端の項目から終端の項目までの複数の項目からなる項目列のうち、表示画面に表示された一部の項目群を選択可能な選択ステップと、
前記一部の項目群を前記表示画面に列状に表示するように制御する表示制御ステップと、
前記表示画面に表示された項目へのタッチ操作を検出する検出ステップと、
前記項目列の前記始端の項目でも前記終端の項目でもない、選択可能な表示されている前記一部の項目群の一方側の端に位置している、項目の全体が表示されている選択されていない状態の項目へのタッチ及び該タッチを離す一連の操作がなされたことに応じて、前記選択手段が選択可能な項目が新たに前記表示画面に表示されるように、前記一部の項目群を移動し、
前記項目列の前記始端の項目または前記終端の項目である、選択可能な表示されている前記一部の項目群の前記一方側の端に位置している、項目の全体が表示されている選択されていない状態の項目への前記一連の操作がされた後、選択可能な項目の数と種類とが同じになるように制御する制御ステップとを有することを特徴とする表示制御装置の制御方法。
【請求項３７】
コンピュータを、請求項１乃至３１のいずれか１項に記載された表示制御装置の各手段として機能させるためのプログラム。
【請求項３８】
コンピュータを、請求項１乃至３１のいずれか１項に記載された表示制御装置の各手段として機能させるためのプログラムを格納したコンピュータが読み取り可能な記憶媒体。
【手続補正２】
【補正対象書類名】明細書
【補正対象項目名】０００８
【補正方法】変更
【補正の内容】
【０００８】
上記課題を解決するために、本発明は、始端の項目から終端の項目までの複数の項目からなる項目列のうち、一部の項目群を表示画面に列状に表示するように制御する表示制御手段と、前記表示画面に表示された項目へのタッチ操作を検出する検出手段と、前記項目列の前記始端の項目でも前記終端の項目でもない、第１の表示位置にある、表示されている前記一部の項目群の一方側の端の項目へのタッチ及び該タッチを離す一連の操作が検出されたことに応じて、前記項目列のうち、表示されていなかった項目を表示すると共に、前記一連の操作がなされた項目を前記第１の表示位置から第２の表示位置に移動するように、前記一部の項目群を移動し、前記項目列の前記始端の項目または前記終端の項目であり、前記第１の表示位置にある、表示されている前記一部の項目群の一方側の端の項目への前記一連の操作がなされても、前記一連の操作がなされた項目を前記第１の表示位置から前記第２の表示位置に移動しないように制御する制御手段を有することを特徴とする。